【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  単独で作動し、かつ信号の入力または出力を行う１以上の信号端子が外部に露出している電子機器を収納する収納ラックであって、
前記電子機器を収納する１以上の収納部と、
前記電子機器の前記信号端子と接続する接続端子が設けられた、前記収納部内の接続パネルと
を備えることを特徴とする収納ラック。
【請求項２】  前記収納部内の接続パネルには、前記電子機器が前記収納部に収納されたときに、その電子機器の前記信号端子と接続するように、前記接続端子が設けられている
ことを特徴とする請求項１に記載の収納ラック。
【請求項３】  前記接続パネルに設けられた前記接続端子と接続する第１の端子が設けられた第１の面と、
前記電子機器の前記信号端子と接続する第２の端子が設けられた第２の面と
を有する接続装置とともに、前記電子機器が前記収納部に収納されたときに、前記電子機器の前記信号端子と、前記収納部内の接続パネルの前記接続端子とが、前記接続装置を介して接続される
ことを特徴とする請求項１に記載の収納ラック。
【請求項４】  前記第１の面は、前記第２の面の裏面の位置に設けられる
ことを特徴とする請求項３に記載の収納ラック。
【請求項５】  前記接続装置は、前記電子機器を収納するスロットを有する
ことを特徴とする請求項３に記載の収納ラック。
【請求項６】  前記収納部は、前記電子機器を前記スロットに収納した前記接続装置を収納する
ことを特徴とする請求項５に記載の収納ラック。
【請求項７】  前記第１の面は、前記収納部の中に、前記接続装置を収納したときに、前記収納部の前記接続パネルと対向する面である
ことを特徴とする請求項６に記載の収納ラック。
【請求項８】  前記第２の面は、前記スロットの中に、前記電子機器を収納したときに、その電子機器の前記信号端子が設けられた面と対向する面である
ことを特徴とする請求項５に記載の収納ラック。
【請求項９】  前記接続装置の前記第１の面には、前記接続パネルに設けられた前記接続端子の配置位置に対応する固定の位置に、前記第１の端子が配置されている
ことを特徴とする請求項３に記載の収納ラック。
【請求項１０】  前記接続装置の前記第２の面には、前記電子機器に設けられた前記信号端子の配置位置に対応する固定の位置に、前記第２の端子が配置されている
ことを特徴とする請求項３に記載の収納ラック。
【請求項１１】  前記接続装置の前記第２の面に設けられた前記第２の端子は、その配置位置を移動することができるようになっている
ことを特徴とする請求項３に記載の収納ラック。
【請求項１２】  前記第２の端子は、前記第２の面上をスライドする
ことを特徴とする請求項１１に記載の収納ラック。
【請求項１３】  前記第２の面には、穴部が設けられ、前記第２の端子は、任意の前記穴部に抜き差し可能になっている
ことを特徴とする請求項１１に記載の収納ラック。
【請求項１４】  前記接続パネルに設けられた前記接続端子は、固定の位置に配置されている
ことを特徴とする請求項１に記載の収納ラック。
【請求項１５】  前記接続パネルに設けられた前記接続端子は、その配置位置を移動することができるようになっている
ことを特徴とする請求項１に記載の収納ラック。
【請求項１６】  複数の前記収納部を備える
ことを特徴とする請求項１に記載の収納ラック。
【請求項１７】  複数の前記収納部の２以上に、前記電子機器が収納されたときに、各収納部に収納された前記電子機器どうしが電気的に接続される
ことを特徴とする請求項１６に記載の収納ラック。
【請求項１８】  他の電子機器が組み込まれており、
前記電子機器が、前記収納部に収納されたときに、前記電子機器と、前記他の電子機器とが電気的に接続される
ことを特徴とする請求項１に記載の収納ラック。
【請求項１９】  単独で作動し、かつ信号の入力または出力を行う１以上の信号端子が外部に露出している電子機器と、前記電子機器の前記信号端子と電気的に接続される接続端子が設けられた接続パネルを、凹形状に形成された１以上の収納部の中に有する収納ラックとを、電気的に接続する接続装置であって、
前記収納ラックの前記接続パネルに設けられた前記接続端子と接続する第１の端子が設けられた第１の面と、
前記電子機器の前記信号端子と接続する第２の端子が設けられた第２の面と
を備えることを特徴とする接続装置。
【請求項２０】  前記電子機器が前記収納部に収納されたときに、前記電子機器の前記信号端子と、前記収納部内の接続パネルの前記接続端子とを電気的に接続する
ことを特徴とする請求項１９に記載の接続装置。
【請求項２１】  前記第１の面は、前記第２の面の裏面の位置に設けられている
ことを特徴とする請求項１９に記載の接続装置。
【請求項２２】  前記電子機器を収納するスロットをさらに備える
ことを特徴とする請求項１９に記載の接続装置。
【請求項２３】  前記スロットに、前記電子機器を収納した状態で、前記収納ラックに収納されることにより、前記電子機器の前記信号端子と、前記収納部内の接続パネルの前記接続端子とを電気的に接続する
ことを特徴とする請求項２２に記載の接続装置。
【請求項２４】  前記第２の面は、前記スロットの中に、前記電子機器を収納したときに、その電子機器の前記信号端子が設けられた面と対向する面である
ことを特徴とする請求項２２に記載の接続装置。
【請求項２５】  前記第１の面は、前記収納部に収納されたときに、前記収納部の前記接続パネルと対向する面である
ことを特徴とする請求項１９に記載の接続装置。
【請求項２６】  前記第１の面には、前記接続パネルに設けられた前記接続端子の配置位置に対応する固定の位置に、前記第１の端子が配置されている
ことを特徴とする請求項１９に記載の接続装置。
【請求項２７】  前記第２の面には、前記電子機器に設けられた前記信号端子の配置位置に対応する固定の位置に、前記第２の端子が配置されている
ことを特徴とする請求項１９に記載の接続装置。
【請求項２８】  前記第２の面に設けられた前記第２の端子は、その配置位置を移動することができるようになっている
ことを特徴とする請求項１９に記載の接続装置。
【請求項２９】  前記第２の端子は、前記第２の面上をスライドする
ことを特徴とする請求項２８に記載の接続装置。
【請求項３０】  前記第２の面には、穴部が設けられ、前記第２の端子は、任意の前記穴部に抜き差し可能になっている
ことを特徴とする請求項２８に記載の接続装置。
【請求項３１】  単独で作動し、かつ信号の入力または出力を行う１以上の信号端子が外部に露出している電子機器と、前記電子機器を収納する収納ラックとを備える収納ラックシステムであって、
前記収納ラックは、
前記電子機器を収納する１以上の収納部と、
前記電子機器の前記信号端子と接続する接続端子が設けられた、前記収納部内の接続パネルと
を有する
ことを特徴とする収納ラックシステム。
【請求項３２】  前記接続パネルに設けられた前記接続端子と接続する第１の端子が設けられた第１の面と、
前記電子機器の前記信号端子と接続する第２の端子が設けられた第２の面と
を有する接続装置をさらに備える
ことを特徴とする請求項３１に記載の収納ラックシステム。
【請求項３３】  前記電子機器が、前記接続装置とともに、前記収納部に収納されたときに、前記電子機器の前記信号端子と、前記収納部内の接続パネルの前記接続端子とが、前記接続装置を介して接続される
ことを特徴とする請求項３２に記載の収納ラックシステム。
【手続補正２】
【補正対象書類名】明細書
【補正対象項目名】０００６
【補正方法】変更
【補正の内容】
【０００６】
【課題を解決するための手段】
本発明の収納ラックは、単独で作動し、かつ信号の入力または出力を行う１以上の信号端子が外部に露出している電子機器を収納する１以上の収納部と、電子機器の信号端子と接続する接続端子が設けられた、収納部内の接続パネルとを備えることを特徴とする。
【手続補正３】
【補正対象書類名】明細書
【補正対象項目名】０００８
【補正方法】変更
【補正の内容】
【０００８】
本発明の収納ラックシステムは、単独で作動し、かつ信号の入力または出力を行う１以上の信号端子が外部に露出している電子機器を収納する収納ラックが、電子機器を収納する１以上の収納部と、電子機器の信号端子と接続する接続端子が設けられた、収納部内の接続パネルとを有することを特徴とする。
【手続補正４】
【補正対象書類名】明細書
【補正対象項目名】０００９
【補正方法】変更
【補正の内容】
【０００９】
本発明の収納ラックにおいては、単独で作動し、かつ信号の入力または出力を行う１以上の信号端子が外部に露出している電子機器が、収納部に収納され、その収納部内の接続パネルに設けられた接続端子が、電子機器の信号端子と接続される。
【手続補正５】
【補正対象書類名】明細書
【補正対象項目名】００１１
【補正方法】変更
【補正の内容】
【００１１】
本発明の収納ラックシステムにおいては、単独で作動し、かつ信号の入力または出力を行う１以上の信号端子が外部に露出している電子機器を収納する収納ラックが、電子機器を収納する１以上の収納部と、電子機器の信号端子と接続する接続端子が設けられた、収納部内の接続パネルとを有している。
【手続補正６】
【補正対象書類名】明細書
【補正対象項目名】０３１７
【補正方法】変更
【補正の内容】
【０３１７】
【発明の効果】
本発明の収納ラックによれば、単独で作動し、かつ信号の入力または出力を行う１以上の信号端子が外部に露出している電子機器が、収納部に収納され、その収納部内の接続パネルに設けられた接続端子が、電子機器の信号端子と接続される。従って、電子機器どうしを、容易に接続することが可能となる。
【手続補正７】
【補正対象書類名】明細書
【補正対象項目名】０３１９
【補正方法】変更
【補正の内容】
【０３１９】
本発明の収納ラックシステムによれば、単独で作動し、かつ信号の入力または出力を行う１以上の信号端子が外部に露出している電子機器を収納する１以上の収納部と、電子機器の信号端子と接続する接続端子が設けられた、収納部内の接続パネルとを有している収納ラックを備えているので、電子機器どうしを、容易に接続することが可能となる。